(57)【特許請求の範囲】
【請求項１】
適応伝送方法であって、
端末の第１のアップリンク伝送レート及び第２のアップリンク伝送レートを取得する段階であって、前記第１のアップリンク伝送レートは利用可能なアップリンク伝送レートであり、前記第２のアップリンク伝送レートは、サービスのダウンリンクデータパケットが伝送されるダウンリンク伝送レートのサポートに必要とされるアップリンク伝送レートである、取得する段階と、
前記第１のアップリンク伝送レートが前記第２のアップリンク伝送レートより小さい場合、適応伝送ポリシを決定する段階であって、前記適応伝送ポリシが、前記端末に、単位期間において送信されるアップリンク肯定応答データパケットのサイズを低減するように命令するために用いられることで、前記サービスのアップリンク肯定応答データパケットが前記第１のアップリンク伝送レート以下のレートで伝送されている場合、前記サービスの前記ダウンリンクデータパケットが、前記ダウンリンク伝送レート以上のレートで伝送され得る、決定する段階と、
前記適応伝送ポリシに従って、ピアエンドにデータを伝送する段階とを備える、方法。
【請求項２】
適応伝送ポリシを決定する前記段階は、
前記アップリンク肯定応答データパケットのターゲットデータパケットフォーマットを決定する段階であって、前記ターゲットデータパケットフォーマットにおける前記アップリンク肯定応答データパケットのサイズは、初期データパケットフォーマットにおけるアップリンク肯定応答データパケットのサイズより小さく、前記ターゲットデータパケットフォーマットが決定される時点は第１の時点であり、前記初期データパケットフォーマットは、前記アップリンク肯定応答データパケットが前記第１の時点で送信される必要がある場合に用いられるデータパケットフォーマットである、決定する段階、及び／又は
前記アップリンク肯定応答データパケットの送信機会を決定する段階であって、前記送信機会は、Ｍ個のダウンリンクデータパケットが受信された後、前記アップリンク肯定応答データパケットを返すことであり、ＭはＮより大きい整数であり、前記送信機会が決定される時点は第２の時点であり、Ｎは、前記アップリンク肯定応答データパケットが前記第２の時点で送信する必要がある場合に受信されるダウンリンクデータパケットの数である、決定する段階、及び／又は、
ネットワーク側デバイスが、ダウンリンクデータ伝送に対する前方誤り訂正（ＦＥＣ）メカニズムを有効にしていない場合、第１の命令情報を生成するか、又は前記ダウンリンクデータ伝送に対するＦＥＣ  ｇｒｏｕｐの第１のサイズを計算する段階であって、前記第１の命令情報は、前記ダウンリンクデータ伝送に対する前記ＦＥＣメカニズムを有効にするように命令するために用いられ、前記ネットワーク側デバイスが前記ダウンリンクデータ伝送に対する前記ＦＥＣメカニズムを有効にした場合、前記ダウンリンクデータ伝送に対する前記ＦＥＣ  ｇｒｏｕｐの第２のサイズを計算し、前記第２のサイズは、前記ＦＥＣ  ｇｒｏｕｐの元のサイズより小さく、前記元のサイズは、前記ネットワーク側デバイスにより有効にされた前記ダウンリンクデータ伝送に対する前記ＦＥＣメカニズムに用いられるＦＥＣ  ｇｒｏｕｐのサイズである、生成又は計算する段階を有する、請求項１に記載の方法。
【請求項３】
前記アップリンク肯定応答データパケットのターゲットデータパケットフォーマットを決定する前記方法は、
前記第２のアップリンク伝送レートと前記第１のアップリンク伝送レートとの間の差を計算する段階と、
前記差に対応する前記ターゲットデータパケットフォーマットを取得する段階であって、前記ターゲットデータパケットフォーマットにおけるアップリンク肯定応答データパケットが大きいほど、差が小さくなる、取得する段階とを含む、請求項２に記載の方法。
【請求項４】
前記アップリンク肯定応答データパケットの送信機会を決定する前記段階は、
前記第２のアップリンク伝送レートと前記第１のアップリンク伝送レートとの間の差を計算する段階と、
前記差に対応するＭの値を取得する段階であって、Ｍの値が大きいほど差が大きくなる、取得する段階とを含む、請求項２に記載の方法。
【請求項５】
前記ダウンリンクデータ伝送に対する前記ＦＥＣ  ｇｒｏｕｐの第２のサイズを計算する前記段階は、
前記第２のアップリンク伝送レートと前記第１のアップリンク伝送レートとの間の差を計算する段階と、
前記差に対応する前記第２のサイズを取得する段階であって、前記第２のサイズの値が大きいほど、前記第２のサイズに対応する差が小さくなる、取得する段階とを含む、請求項２に記載の方法。
【請求項６】
前記方法は前記端末に適用され、前記適応伝送ポリシに従ってピアエンドにデータを伝送する前記段階は、
前記適応伝送ポリシが、前記アップリンク肯定応答データパケットの前記ターゲットデータパケットフォーマットを有する場合、前記ターゲットデータパケットフォーマットに基づいて、前記ネットワーク側デバイスに前記アップリンク肯定応答データパケットを送信する段階、
前記適応伝送ポリシが、前記アップリンク肯定応答データパケットの前記送信機会を有する場合、前記送信機会に基づいて、前記ネットワーク側デバイスに前記アップリンク肯定応答データパケットを送信する段階、
前記適応伝送ポリシが前記第１の命令情報を有する場合、前記ネットワーク側デバイスに前記第１の命令情報を送信する段階であって、前記第１の命令情報は、前記ダウンリンクデータ伝送に対する前記ＦＥＣメカニズムを有効にするように命令するために用いられる、送信する段階、
前記適応伝送ポリシが前記第１のサイズを有する場合、前記ネットワーク側デバイスに前記第１のサイズを送信する段階であって、前記第１のサイズを受信した後、前記ネットワーク側デバイスは、前記ダウンリンクデータ伝送に対する前記ＦＥＣメカニズムを有効にし、前記第１のサイズに基づいて、前記端末にダウンリンクデータパケットを送信し、前記第１のサイズは、前記ダウンリンクデータ伝送に対する予め生成されたＦＥＣ  ｇｒｏｕｐのサイズである、送信する段階、又は
前記適応伝送ポリシが前記第２のサイズを有する場合、前記ネットワーク側デバイスに前記第２のサイズを送信する段階であって、前記第２のサイズを受信した後、前記ネットワーク側デバイスは、前記第２のサイズに基づいて、前記端末にダウンリンクデータパケットを送信し、前記第２のサイズは、前記ダウンリンクデータ伝送に対する予め生成されたＦＥＣ  ｇｒｏｕｐのサイズである、送信する段階を含む、請求項２から５のいずれか一項に記載の方法。
【請求項７】
前記方法は前記ネットワーク側デバイスに適用され、前記適応伝送ポリシに従ってピアエンドにデータを伝送する前記段階は、
前記適応伝送ポリシが、前記アップリンク肯定応答データパケットの前記ターゲットデータパケットフォーマット、及び／又は前記アップリンク肯定応答データパケットの前記送信機会を有する場合、前記端末に前記ターゲットデータパケットフォーマット及び／又は前記送信機会を送信し、前記ターゲットデータパケットフォーマット及び／又は前記送信機会に基づいて前記端末により送信される前記アップリンク肯定応答データパケットを受信する段階、
前記適応伝送ポリシが前記第１の命令情報を有する場合、前記ダウンリンクデータ伝送に対する前記ＦＥＣメカニズムを有効にする段階であって、前記第１の命令情報は、前記ダウンリンクデータ伝送に対する前記ＦＥＣメカニズムを有効にするように命令するために用いられる、有効にする段階、
前記適応伝送ポリシが前記第１のサイズを有する場合、前記ダウンリンクデータ伝送に対する前記ＦＥＣメカニズムを有効にし、前記第１のサイズに基づいて、前記端末にダウンリンクデータパケットを送信する段階であって、前記第１のサイズは、前記ダウンリンクデータ伝送に対する予め生成されたＦＥＣ  ｇｒｏｕｐのサイズである、送信する段階、又は
前記適応伝送ポリシが前記第２のサイズを有する場合、前記第２のサイズに基づいて、前記端末にダウンリンクデータパケットを送信する段階であって、前記第２のサイズは、前記ダウンリンクデータ伝送に対する予め生成されたＦＥＣ  ｇｒｏｕｐのサイズである、送信する段階を含む、請求項２から５のいずれか一項に記載の方法。
【請求項８】
端末の第１のアップリンク伝送レートを取得する前記段階は、
前記方法が前記端末に適用される場合、アップリンクレート計算パラメータを取得する段階と、前記アップリンクレート計算パラメータに基づいて前記第１のアップリンク伝送レートを決定する段階とを含む、又は
前記方法がネットワーク側デバイスに適用される場合、前記端末により送信される前記第１のアップリンク伝送レートを受信する段階を含む、請求項１から７のいずれか一項に記載の方法。
【請求項９】
端末の第２のアップリンク伝送レートを取得する前記段階は、
前記ダウンリンク伝送レートを取得する段階と、
前記ダウンリンク伝送レートに基づいて前記第２のアップリンク伝送レートを計算する段階とを含む、請求項１から７のいずれか一項に記載の方法。
【請求項１０】
前記方法は前記端末に適用され、前記ダウンリンク伝送レートを取得する前記段階は、
ネットワーク側デバイスにより送信される前記ダウンリンク伝送レートを受信する段階、又は
前記ネットワーク側デバイスにより送信されるダウンリンクレート計算パラメータを受信し、前記ダウンリンクレート計算パラメータに基づいて、前記ダウンリンク伝送レートを計算する段階を含む、請求項９に記載の方法。
【請求項１１】
プロセッサを備える適応伝送装置であって、
前記プロセッサは、端末の第１のアップリンク伝送レート及び第２のアップリンク伝送レートを取得するように構成されており、前記第１のアップリンク伝送レートは利用可能なアップリンク伝送レートであり、前記第２のアップリンク伝送レートは、サービスのダウンリンクデータパケットが伝送されるダウンリンク伝送レートをサポートするために必要とされるアップリンク伝送レートであり、
前記プロセッサはさらに、前記第１のアップリンク伝送レートが前記第２のアップリンク伝送レートより小さい場合に、適応伝送ポリシを決定するように構成されており、前記適応伝送ポリシが、単位期間に送信されるアップリンク肯定応答データパケットのサイズを低減させるように前記端末に命令するために用いられることで、前記サービスのアップリンク肯定応答データパケットが前記第１のアップリンク伝送レート以下のレートで伝送される場合、前記サービスの前記ダウンリンクデータパケットは、前記ダウンリンク伝送レート以上のレートで伝送され得て、
前記プロセッサはさらに、前記適応伝送ポリシに従ってピアエンドにデータを伝送するように構成されている、装置。
【請求項１２】
前記プロセッサはさらに、
前記アップリンク肯定応答データパケットのターゲットデータパケットフォーマットを決定するように構成されており、前記ターゲットデータパケットフォーマットにおける前記アップリンク肯定応答データパケットのサイズは、初期データパケットフォーマットにおけるアップリンク肯定応答データパケットのサイズより小さく、前記ターゲットデータパケットフォーマットが決定される時点は第１の時点であり、前記初期データパケットフォーマットは、前記アップリンク肯定応答データパケットが前記第１の時点で送信される必要がある場合に用いられるデータパケットフォーマットであり、及び／又は
前記プロセッサはさらに、前記アップリンク肯定応答データパケットの送信機会を決定するように構成されており、前記送信機会は、Ｍ個のダウンリンクデータパケットが受信された後、前記アップリンク肯定応答データパケットを返すことであり、ＭはＮより大きい整数であり、前記送信機会が決定される時点は第２の時点であり、Ｎは、前記アップリンク肯定応答データパケットが前記第２の時点で送信される必要がある場合に受信されるダウンリンクデータパケットの数であり、及び／又は、
前記プロセッサはさらに、ネットワーク側デバイスが、ダウンリンクデータ伝送に対する前方誤り訂正（ＦＥＣ）メカニズムを有効にしていない場合、前記ダウンリンクデータ伝送に対する前記ＦＥＣメカニズムを有効にするように命令するために用いられる第１の命令情報を生成するか、又は前記ダウンリンクデータ伝送に対するＦＥＣ  ｇｒｏｕｐの第１のサイズを計算するように構成されており、前記ネットワーク側デバイスが前記ダウンリンクデータ伝送に対する前記ＦＥＣメカニズムを有効にした場合、前記ダウンリンクデータ伝送に対する前記ＦＥＣ  ｇｒｏｕｐの第２のサイズを計算するように構成されており、前記第２のサイズは、前記ＦＥＣ  ｇｒｏｕｐの元のサイズより小さく、前記元のサイズは、前記ネットワーク側デバイスにより有効にされた前記ダウンリンクデータ伝送に対する前記ＦＥＣメカニズムに用いられるＦＥＣ  ｇｒｏｕｐのサイズである、請求項１１に記載の装置。
【請求項１３】
前記プロセッサはさらに、
前記第２のアップリンク伝送レートと前記第１のアップリンク伝送レートとの間の差を計算し、
前記差に対応する前記ターゲットデータパケットフォーマットを取得するように構成されており、前記ターゲットデータパケットフォーマットにおけるアップリンク肯定応答データパケットが大きいほど、差が小さくなる、請求項１２に記載の装置。
【請求項１４】
前記プロセッサはさらに、
前記第２のアップリンク伝送レートと前記第１のアップリンク伝送レートとの間の差を計算し、
前記差に対応するＭの値を取得するように構成されており、Ｍの値が大きいほど差が大きくなる、請求項１２に記載の装置。
【請求項１５】
前記プロセッサはさらに、
前記第２のアップリンク伝送レートと前記第１のアップリンク伝送レートとの間の差を計算し、
前記差に対応する前記第２のサイズを取得するように構成されており、前記第２のサイズの値が大きいほど、前記第２のサイズに対応する差が小さくなる、請求項１２に記載の装置。
【請求項１６】
前記装置は前記端末に適用され、前記プロセッサはさらに、
前記適応伝送ポリシが、前記アップリンク肯定応答データパケットの前記ターゲットデータパケットフォーマットを有する場合、前記ターゲットデータパケットフォーマットに基づいて、前記ネットワーク側デバイスに前記アップリンク肯定応答データパケットを送信するように構成されているか、
前記プロセッサはさらに、前記適応伝送ポリシが、前記アップリンク肯定応答データパケットの前記送信機会を有する場合、前記送信機会に基づいて、前記ネットワーク側デバイスに前記アップリンク肯定応答データパケットを送信するように構成されているか、
前記プロセッサはさらに、前記適応伝送ポリシが前記第１の命令情報を有する場合、前記ネットワーク側デバイスに前記第１の命令情報を送信するように構成されており、前記第１の命令情報は、前記ダウンリンクデータ伝送に対する前記ＦＥＣメカニズムを有効にするように命令するために用いられるか、
前記プロセッサはさらに、前記適応伝送ポリシが前記第１のサイズを有する場合、前記ネットワーク側デバイスに前記第１のサイズを送信するように構成されており、前記第１のサイズを受信した後、前記ネットワーク側デバイスは、前記ダウンリンクデータ伝送に対する前記ＦＥＣメカニズムを有効にし、前記第１のサイズに基づいて、前記端末にダウンリンクデータパケットを送信し、前記第１のサイズは、前記ダウンリンクデータ伝送に対する予め生成されたＦＥＣ  ｇｒｏｕｐのサイズであるか、又は
前記プロセッサはさらに、前記適応伝送ポリシが前記第２のサイズを有する場合、前記ネットワーク側デバイスに前記第２のサイズを送信するように構成されており、前記第２のサイズを受信した後、前記ネットワーク側デバイスは、前記第２のサイズに基づいて、前記端末にダウンリンクデータパケットを送信し、前記第２のサイズは、前記ダウンリンクデータ伝送に対する予め生成されたＦＥＣ  ｇｒｏｕｐのサイズである、請求項１２から１５のいずれか一項に記載の装置。
【請求項１７】
前記装置は前記ネットワーク側デバイスに適用され、前記プロセッサはさらに、
前記適応伝送ポリシが、前記アップリンク肯定応答データパケットの前記ターゲットデータパケットフォーマット、及び／又は前記アップリンク肯定応答データパケットの前記送信機会を有する場合、前記端末に前記ターゲットデータパケットフォーマット及び／又は前記送信機会を送信し、前記ターゲットデータパケットフォーマット及び／又は前記送信機会に基づいて前記端末により送信される前記アップリンク肯定応答データパケットを受信するように構成されているか、
前記プロセッサはさらに、前記適応伝送ポリシが前記第１の命令情報を有する場合、前記ダウンリンクデータ伝送に対する前記ＦＥＣメカニズムを有効にするように構成されており、前記第１の命令情報は、前記ダウンリンクデータ伝送に対する前記ＦＥＣメカニズムを有効にするように命令するために用いられるか、
前記プロセッサはさらに、前記適応伝送ポリシが前記第１のサイズを有する場合、前記ダウンリンクデータ伝送に対する前記ＦＥＣメカニズムを有効にし、前記第１のサイズに基づいて、前記端末にダウンリンクデータパケットを送信するように構成されており、前記第１のサイズは、前記ダウンリンクデータ伝送に対する予め生成されたＦＥＣ  ｇｒｏｕｐのサイズであるか、又は
前記プロセッサはさらに、前記適応伝送ポリシが前記第２のサイズを有する場合、前記第２のサイズに基づいて、前記端末にダウンリンクデータパケットを送信するように構成されており、前記第２のサイズは、前記ダウンリンクデータ伝送に対する予め生成されたＦＥＣ  ｇｒｏｕｐのサイズである、請求項１２から１５のいずれか一項に記載の装置。
【請求項１８】
前記装置が前記端末に適用される場合、前記プロセッサはさらに、アップリンクレート計算パラメータを取得し、前記アップリンクレート計算パラメータに基づいて前記第１のアップリンク伝送レートを決定するように構成されている、又は
前記装置がネットワーク側デバイスに適用される場合、前記装置はさらに受信機を備え、前記受信機は、前記端末により送信される前記第１のアップリンク伝送レートを受信するように構成されている、
請求項１１から１７いずれか一項に記載の装置。
【請求項１９】
前記プロセッサはさらに、
前記ダウンリンク伝送レートを取得し、
前記ダウンリンク伝送レートに基づいて前記第２のアップリンク伝送レートを計算するように構成されている、請求項１１から１７のいずれか一項に記載の装置。
【請求項２０】
前記装置は前記端末に適用され、前記装置はさらに受信機を備え、前記受信機は、
ネットワーク側デバイスにより送信される前記ダウンリンク伝送レートを受信し、又は
前記ネットワーク側デバイスにより送信されるダウンリンクレート計算パラメータを受信するように構成されており、前記ダウンリンクレート計算パラメータに基づいて、前記ダウンリンク伝送レートを計算するように構成されている、請求項１９に記載の装置。
【請求項２１】
適応伝送装置であって、
端末の第１のアップリンク伝送レート及び第２のアップリンク伝送レートを取得するように構成されている取得ユニットであって、前記第１のアップリンク伝送レートは利用可能なアップリンク伝送レートであり、前記第２のアップリンク伝送レートは、サービスのダウンリンクデータパケットが伝送されるダウンリンク伝送レートをサポートするために必要とされるアップリンク伝送レートである、取得ユニットと、
前記第１のアップリンク伝送レートが前記第２のアップリンク伝送レートより小さい場合に、適応伝送ポリシを決定するように構成されている決定ユニットであって、前記適応伝送ポリシが、単位期間に送信されるアップリンク肯定応答データパケットのサイズを低減させるように前記端末に命令するために用いられることで、前記サービスのアップリンク肯定応答データパケットが前記第１のアップリンク伝送レート以下のレートで伝送される場合、前記サービスの前記ダウンリンクデータパケットは、前記ダウンリンク伝送レート以上のレートで伝送され得る、決定ユニットと、
前記決定ユニットによって決定された前記適応伝送ポリシに従ってピアエンドにデータを伝送するように構成されている伝送ユニットとを備える、装置。
【請求項２２】
前記決定ユニットはさらに、
前記アップリンク肯定応答データパケットのターゲットデータパケットフォーマットを決定するように構成されており、前記ターゲットデータパケットフォーマットにおける前記アップリンク肯定応答データパケットのサイズは、初期データパケットフォーマットにおけるアップリンク肯定応答データパケットのサイズより小さく、前記ターゲットデータパケットフォーマットが決定される時点は第１の時点であり、前記初期データパケットフォーマットは、前記アップリンク肯定応答データパケットが前記第１の時点で送信される必要がある場合に用いられるデータパケットフォーマットであり、及び／又は
前記決定ユニットはさらに、前記アップリンク肯定応答データパケットの送信機会を決定するように構成されており、前記送信機会は、Ｍ個のダウンリンクデータパケットが受信された後、前記アップリンク肯定応答データパケットを返すことであり、ＭはＮより大きい整数であり、前記送信機会が決定される時点は第２の時点であり、Ｎは、前記アップリンク肯定応答データパケットが前記第２の時点で送信される必要がある場合に受信されるダウンリンクデータパケットの数であり、及び／又は、
前記決定ユニットはさらに、ネットワーク側デバイスが、ダウンリンクデータ伝送に対する前方誤り訂正（ＦＥＣ）メカニズムを有効にしていない場合、前記ダウンリンクデータ伝送に対する前記ＦＥＣメカニズムを有効にするように命令するために用いられる第１の命令情報を生成するか、又は前記ダウンリンクデータ伝送に対するＦＥＣ  ｇｒｏｕｐの第１のサイズを計算するように構成されており、前記ネットワーク側デバイスが前記ダウンリンクデータ伝送に対する前記ＦＥＣメカニズムを有効にした場合、前記ダウンリンクデータ伝送に対する前記ＦＥＣ  ｇｒｏｕｐの第２のサイズを計算するように構成されており、前記第２のサイズは、前記ＦＥＣ  ｇｒｏｕｐの元のサイズより小さく、前記元のサイズは、前記ネットワーク側デバイスにより有効にされた前記ダウンリンクデータ伝送に対する前記ＦＥＣメカニズムに用いられるＦＥＣ  ｇｒｏｕｐのサイズである、生成又は計算の方法を含む、請求項２１に記載の装置。
【請求項２３】
前記決定ユニットはさらに、
前記第２のアップリンク伝送レートと前記第１のアップリンク伝送レートとの間の差を計算し、
前記差に対応する前記ターゲットデータパケットフォーマットを取得するように構成されており、前記ターゲットデータパケットフォーマットにおけるアップリンク肯定応答データパケットが大きいほど、差が小さくなる、請求項２２に記載の装置。
【請求項２４】
前記決定ユニットはさらに、
前記第２のアップリンク伝送レートと前記第１のアップリンク伝送レートとの間の差を計算し、
前記差に対応するＭの値を取得するように構成されており、Ｍの値が大きいほど差が大きくなる、請求項２２に記載の装置。
【請求項２５】
前記決定ユニットはさらに、
前記第２のアップリンク伝送レートと前記第１のアップリンク伝送レートとの間の差を計算し、
前記差に対応する前記第２のサイズを取得するように構成されており、前記第２のサイズの値が大きいほど、前記第２のサイズに対応する差が小さくなる、請求項２２に記載の装置。
【請求項２６】
前記装置は前記端末に適用され、前記伝送ユニットはさらに、
前記適応伝送ポリシが、前記アップリンク肯定応答データパケットの前記ターゲットデータパケットフォーマットを有する場合、前記ターゲットデータパケットフォーマットに基づいて、前記ネットワーク側デバイスに前記アップリンク肯定応答データパケットを送信するように構成されているか、
前記伝送ユニットはさらに、前記適応伝送ポリシが、前記アップリンク肯定応答データパケットの前記送信機会を有する場合、前記送信機会に基づいて、前記ネットワーク側デバイスに前記アップリンク肯定応答データパケットを送信するように構成されているか、
前記伝送ユニットはさらに、前記適応伝送ポリシが前記第１の命令情報を有する場合、前記ネットワーク側デバイスに前記第１の命令情報を送信するように構成されており、前記第１の命令情報は、前記ダウンリンクデータ伝送に対する前記ＦＥＣメカニズムを有効にするように命令するために用いられているか、
前記伝送ユニットはさらに、前記適応伝送ポリシが前記第１のサイズを有する場合、前記ネットワーク側デバイスに前記第１のサイズを送信するように構成されており、前記第１のサイズを受信した後、前記ネットワーク側デバイスは、前記ダウンリンクデータ伝送に対する前記ＦＥＣメカニズムを有効にし、前記第１のサイズに基づいて、前記端末にダウンリンクデータパケットを送信し、前記第１のサイズは、前記ダウンリンクデータ伝送に対する予め生成されたＦＥＣ  ｇｒｏｕｐのサイズであるか、又は
前記伝送ユニットはさらに、前記適応伝送ポリシが前記第２のサイズを有する場合、前記ネットワーク側デバイスに前記第２のサイズを送信するように構成されており、前記第２のサイズを受信した後、前記ネットワーク側デバイスは、前記第２のサイズに基づいて、前記端末にダウンリンクデータパケットを送信し、前記第２のサイズは、前記ダウンリンクデータ伝送に対する予め生成されたＦＥＣ  ｇｒｏｕｐのサイズである、請求項２２から２５のいずれか一項に記載の装置。
【請求項２７】
前記装置は前記ネットワーク側デバイスに適用され、前記伝送ユニットはさらに、
前記適応伝送ポリシが、前記アップリンク肯定応答データパケットの前記ターゲットデータパケットフォーマット、及び／又は前記アップリンク肯定応答データパケットの前記送信機会を有する場合、前記端末に前記ターゲットデータパケットフォーマット及び／又は前記送信機会を送信し、前記ターゲットデータパケットフォーマット及び／又は前記送信機会に基づいて前記端末により送信される前記アップリンク肯定応答データパケットを受信するように構成されているか、
前記伝送ユニットはさらに、前記適応伝送ポリシが前記第１の命令情報を有する場合、前記ダウンリンクデータ伝送に対する前記ＦＥＣメカニズムを有効にするように構成されており、前記第１の命令情報は、前記ダウンリンクデータ伝送に対する前記ＦＥＣメカニズムを有効にするように命令するために用いられているか、
前記伝送ユニットはさらに、前記適応伝送ポリシが前記第１のサイズを有する場合、前記ダウンリンクデータ伝送に対する前記ＦＥＣメカニズムを有効にし、前記第１のサイズに基づいて、前記端末にダウンリンクデータパケットを送信するように構成されており、前記第１のサイズは、前記ダウンリンクデータ伝送に対する予め生成されたＦＥＣ  ｇｒｏｕｐのサイズであるか、又は
前記伝送ユニットはさらに、前記適応伝送ポリシが前記第２のサイズを有する場合、前記第２のサイズに基づいて、前記端末にダウンリンクデータパケットを送信する構成されており、前記第２のサイズは、前記ダウンリンクデータ伝送に対する予め生成されたＦＥＣ  ｇｒｏｕｐのサイズである、請求項２２から２５のいずれか一項に記載の装置。
【請求項２８】
前記取得ユニットはさらに、
前記装置が前記端末に適用される場合、アップリンクレート計算パラメータを取得し、前記アップリンクレート計算パラメータに基づいて前記第１のアップリンク伝送レートを決定するように構成されている、又は
前記装置がネットワーク側デバイスに適用される場合、前記端末により送信される前記第１のアップリンク伝送レートを受信するように構成されている、請求項２１から２７のいずれか一項に記載の装置。
【請求項２９】
前記取得ユニットはさらに、
前記ダウンリンク伝送レートを取得し、
前記ダウンリンク伝送レートに基づいて前記第２のアップリンク伝送レートを計算するように構成されている、請求項２１から２７のいずれか一項に記載の装置。
【請求項３０】
前記装置は前記端末に適用され、前記取得ユニットはさらに、
ネットワーク側デバイスにより送信される前記ダウンリンク伝送レートを受信し、又は
前記ネットワーク側デバイスにより送信されるダウンリンクレート計算パラメータを受信するように構成されており、前記ダウンリンクレート計算パラメータに基づいて、前記ダウンリンク伝送レートを計算するように構成されている、請求項２９に記載の装置。
【請求項３１】
プログラムを記憶するように構成されており、前記プログラムがプロセッサにより実行される場合、請求項１から１０のいずれか一項に記載の方法を実行する、コンピュータ可読記憶媒体。
【請求項３２】
プログラムであって、プロセッサにより実行される場合、請求項１から１０のいずれか一項に記載の方法を実行するために用いられるプログラム。
【発明の詳細な説明】
【技術分野】
【０００１】
本願の実施形態は、データ伝送技術分野に関し、特に、適応伝送方法及び装置に関する。
【背景技術】
【０００２】
転送制御プロトコル（Ｔｒａｎｓｆｅｒ  Ｃｏｎｔｒｏｌ  Ｐｒｏｔｏｃｏｌ、ＴＣＰ）、及びユーザデータグラムプロトコル（Ｕｓｅｒ  Ｄａｔａｇｒａｍ  Ｐｒｏｔｏｃｏｌ 、ＵＤＰ）（Ｑｕｉｃｋ  ＵＤＰ  Ｉｎｔｅｒｎｅｔ  Ｃｏｎｎｅｃｔｉｏｎ 、ＱＵＩＣ）に基づく低遅延インターネット転送プロトコルは、信頼可能な接続指向のトランスポート層通信プロトコルである。パケットの損失が発生しないことを保証するために、データパケットを送信する場合、送信端は、各データパケットにシーケンス番号を割り当て、受信端は、問題なく受信されたデータパケットに対して対応する肯定応答信号（Ａｃｋｎｏｗｌｅｄｇｅｍｅｎｔ、ＡＣＫ）を返す。ＴＣＰベースサービス又はＱＵＩＣベースサービスの場合、サービスレートは、ダウンリンクデータ伝送レート及びアップリンク肯定応答伝送レートの両方に基づいて決定される。
【０００３】
通常、ワイヤレスネットワークにおいて、ダウンリンク伝送レートは比較的高く、アップリンク伝送はボトルネックである。そのため、既存の解決手段において、ダウンリンクスループットは、アップリンク伝送レートが限定されているため、比較的低くなりかねない。
【発明の概要】
【０００４】
アップリンク伝送レートが低いためダウンリンクスループットが低いという従来技術の問題を解消するために、本発明の実施形態は適応伝送方法及び装置を提供する。技術的解決手段は以下の通りである。
【０００５】
第１態様によると、適応伝送方法が提供され、本方法は端末に適用されてもよく、又はネットワーク側デバイスに適用されてもよい。
【０００６】
方法は、端末に利用可能な第１のアップリンク伝送レート及びサービスの伝送に必要とされる第２のアップリンク伝送レートが取得されることを含む。第１のアップリンク伝送レートが第２のアップリンク伝送レートより小さい場合、アップリンクにおいては要件が満たされることができないことを示す。この場合、適応伝送ポリシが決定され、データは適応伝送ポリシに従ってピアエンドに伝送されてよい。適応伝送ポリシが、単位期間内に送信されるアップリンク肯定応答データパケットのサイズを低減するように端末に命令するために用いられることで、サービスのアップリンク肯定応答データパケットが第１のアップリンク伝送レート以下のレートで伝送される場合、サービスのダウンリンクデータパケットは、ダウンリンク伝送レート以上のレートで伝送されることができる。
【０００７】
第１のアップリンク伝送レートが第２のアップリンク伝送レートより小さい場合に適応伝送ポリシが決定され、データが適応伝送ポリシによりピアエンドに伝送されることで、関連技術におけるアップリンク伝送レートが比較的低いためダウンリンクスループットが比較的低いという問題は解消され、アップリンク肯定応答データパケットのサイズを低減させることにより、送信される必要があるアップリンク肯定応答データパケットを送信するために用いられる時間が低減し得る。それにより、第１のアップリンク伝送レートが比較的低い場合の正常なアップリンク伝送を保証し、ダウンリンクスループットを改善する。
【０００８】
第１の可能な実装において、第１のアップリンク伝送レートを取得する段階は、方法が端末に適用される場合、端末が、アップリンクレート計算パラメータを取得する段階と、アップリンクレート計算パラメータに基づいて第１のアップリンク伝送レートを決定する段階とを含み、又は方法がネットワーク側デバイスに適用される場合、端末により送信される第１のアップリンク伝送レートを受信する段階を含んでよい。端末により送信される第１のアップリンク伝送レートは、アップリンクレート計算パラメータに基づいて端末により計算及び送信されるレートである。アップリンクレート計算パラメータは、端末の過去のアップリンク伝送レート、端末のチャネル品質情報、端末のサービス情報、端末のサービス品質（Ｑｕａｌｉｔｙ  ｏｆ  Ｓｅｒｖｉｃｅ、ＱｏＳ）情報、及びネットワーク側デバイスにより送信されるアップリンク利用可能伝送レートのうち少なくとも１つを含む。過去のアップリンク伝送レートは、端末によりこれまでサポートされたアップリンク伝送レートである。
【０００９】
第２の可能な実装において、第２のアップリンク伝送レートを取得する段階は、ダウンリンク伝送レートを取得する段階と、ダウンリンク伝送レートに基づいて第２のアップリンク伝送レートを計算する段階とを含んでよい。
【００１０】
ダウンリンク伝送レートを取得する段階は、次の実装例を含んでよい。第１の実装において、方法が端末に適用される場合、ネットワーク側デバイスにより送信されるダウンリンク伝送レートが受信されるか、又は、ネットワーク側デバイスにより送信されるダウンリンクレート計算パラメータが受信され、ダウンリンクレート計算パラメータに基づいてダウンリンク伝送レートが計算される。第２の実装において、方法がネットワーク側デバイスに適用される場合、ダウンリンクレート計算パラメータに基づいてダウンリンク伝送レートが計算される。
【００１１】
実際の実装の間に、端末のサービス要求がさらに取得され、第２のアップリンク伝送レートは、ダウンリンク伝送レート及びサービス要求に基づいて計算されてよい。サービス要求は、サービスタイプ及びサービスコンテキスト情報のうち少なくとも１つを含んでよい。
【００１２】
端末のサービス要求を取得する段階は、方法が端末に適用される場合、サービス要求を端末が直接取得する段階、又は方法がネットワーク側デバイスに適用される場合、端末により送信されるサービス要求をネットワーク側デバイスが受信する段階を含んでよい。
【００１３】
第３の可能な実装において、適応伝送ポリシを決定する段階は、以下の３つの可能な実装のうち少なくとも１つを含んでよい。
【００１４】
第１の可能な実装において、アップリンク肯定応答データパケットのターゲットデータパケットフォーマットが決定される。ターゲットデータパケットフォーマットにおけるアップリンク肯定応答データパケットのサイズは、初期データパケットフォーマットにおけるアップリンク肯定応答データパケットのサイズより小さい。ターゲットデータパケットフォーマットが決定される時点は第１の時点であり、初期データパケットフォーマットは、アップリンク肯定応答データパケットが第１の時点で送信される必要がある場合に用いられるデータパケットフォーマットである。
【００１５】
第２の可能な実装において、アップリンク肯定応答データパケットの送信機会が決定される。送信機会は、Ｍ個のダウンリンクデータパケットが受信された後にアップリンク肯定応答データパケットを返すことであり、ＭはＮより大きい整数であり、送信機会が決定される時点は第２の時点であり、Ｎは、アップリンク肯定応答データパケットが第２の時点で送信される必要がある場合に受信されるダウンリンクデータパケットの数である。
【００１６】
第３の可能な実装において、ネットワーク側デバイスが、ダウンリンクデータ伝送に対する前方誤り訂正（Ｆｏｒｗａｒｄ  ＥＲＲＯＲ  Ｃｏｒｒｅｃｔｉｏｎ、ＦＥＣ）メカニズムを有効にしていない場合、第１の命令情報が生成されるか、又はダウンリンクデータ伝送に対するＦＥＣ  ｇｒｏｕｐの第１のサイズが計算される。第１の命令情報はダウンリンクデータ伝送に対するＦＥＣメカニズムを有効にするように命令するために用いられ、ダウンリンクデータ伝送に対するＦＥＣをネットワーク側デバイスが有効にした場合、ダウンリンクデータ伝送に対するＦＥＣ  ｇｒｏｕｐの第２のサイズが計算される。第２のサイズはＦＥＣ  ｇｒｏｕｐの元のサイズより小さく、元のサイズは、ネットワーク側デバイスにより有効にされたダウンリンクデータ伝送に対するＦＥＣメカニズムにおいて用いられるＦＥＣ  ｇｒｏｕｐのサイズである。
【００１７】
ターゲットデータパケットフォーマットが決定されることで、カプセル化されたアップリンク肯定応答データパケットのサイズが、初期データパケットフォーマットにおいてカプセル化されたデータパケットのサイズより小さくなる。そのため、端末によりアップロードされる必要があるデータの量は低減し、第１のアップリンク伝送レートが第２のアップリンク伝送レートより小さい場合にアップリンクレートとダウンリンクレートが一致することが依然として保証され得る。それにより、ダウンリンク伝送スループットが保証される。
【００１８】
送信機会が決定されることで、Ｍ個のダウンリンクデータパケットが受信された後、アップリンク肯定応答データパケットはネットワーク側デバイスに送信される。そのため、送信される必要があるアップリンク肯定応答データパケットの数は低減する。言い換えれば、アップリンクレートとダウンリンクレートが一致することが保証され、それによりダウンリンク伝送スループットが保証される。
【００１９】
ダウンリンクデータ伝送に対するＦＥＣメカニズムをネットワーク側デバイスが有効にしていない場合、第１の命令情報が生成されるか、又は第１のサイズが計算される。それにより、端末により受信されるダウンリンクデータパケットの精度を保証することにより、アップロードされる必要があるアップリンク肯定応答データパケットの数が低減し、ダウンリンク伝送スループットを保証する。同様に、ダウンリンクデータ伝送に対するＦＥＣメカニズムをネットワーク側デバイスが有効にしている場合、ダウンリンクデータ伝送に対するＦＥＣ  ｇｒｏｕｐの第２のサイズが計算される。それにより、端末により受信されるダウンリンクデータパケットの精度を保証することにより、アップロードされる必要があるアップリンク肯定応答データパケットの数が低減し、ダウンリンク伝送スループットを保証する。
【００２０】
上述の方法において、アップリンク肯定応答データパケットのターゲットデータパケットフォーマットを決定する段階は、第２のアップリンク伝送レートと第１のアップリンク伝送レートとの間の差を計算する段階と、差に対応するターゲットデータパケットフォーマットを取得する段階であって、ターゲットデータパケットフォーマットにおけるアップリンク肯定応答データパケットが大きいほど差が小さくなる、取得する段階とを含んでよい。
【００２１】
アップリンク肯定応答データパケットの送信機会を決定する段階は、第２のアップリンク伝送レートと第１のアップリンク伝送レートとの間の差を計算する段階と、差に対応するＭの値を取得する段階であって、Ｍの値が大きいほど差が大きくなる、取得する段階とを含んでよい。
【００２２】
ダウンリンクデータ伝送に対するＦＥＣ  ｇｒｏｕｐの第２のサイズを計算する段階は、第２のアップリンク伝送レートと第１のアップリンク伝送レートとの間の差を計算する段階と、当該差に対応する第２のサイズを取得する段階であって、第２のサイズの値が大きいほど、第２のサイズに対応する差が小さくなる、取得する段階とを含んでよい。
【００２３】
第４の可能な実装において、上述の方法が端末に適用される場合、適応伝送ポリシに従ってデータをピアエンドに伝送する段階は、適応伝送ポリシが、アップリンク肯定応答データパケットのターゲットデータパケットフォーマットを有する場合、ターゲットデータパケットフォーマットに基づいて、ネットワーク側デバイスにアップリンク肯定応答データパケットを送信する段階、適応伝送ポリシが、アップリンク肯定応答データパケットの送信機会を有する場合、送信機会に基づいて、ネットワーク側デバイスにアップリンク肯定応答データパケットを送信する段階、適応伝送ポリシが第１の命令情報を有する場合、ネットワーク側デバイスに第１の命令情報を送信する段階であって、第１の命令情報を受信した後、ネットワーク側デバイスはダウンリンクデータ伝送に対する前方誤り訂正ＦＥＣメカニズムを有効にし、第１の命令情報は、ダウンリンクデータ伝送に対するＦＥＣメカニズムを有効にするように命令するために用いられる、送信する段階、適応伝送ポリシが第１のサイズを有する場合、ネットワーク側デバイスに第１のサイズを送信する段階であって、第１のサイズを受信した後、ネットワーク側デバイスは、ダウンリンクデータ伝送に対するＦＥＣメカニズムを有効にし、第１のサイズに基づいて、端末にダウンリンクデータパケットを送信し、第１のサイズは、ダウンリンクデータ伝送に対する予め生成されたＦＥＣ  ｇｒｏｕｐのサイズである、送信する段階、又は適応伝送ポリシが第２のサイズを有する場合、ネットワーク側デバイスに第２のサイズを送信する段階であって、第２のサイズを受信した後、ネットワーク側デバイスは、第２のサイズに基づいて、端末にダウンリンクデータパケットを送信し、第２のサイズは、ダウンリンクデータ伝送に対する予め生成されたＦＥＣ  ｇｒｏｕｐのサイズである、送信する段階を含む。
【００２４】
方法がネットワーク側デバイスに適用される場合、適応伝送ポリシに従ってピアエンドにデータを伝送する段階は、適応伝送ポリシが、アップリンク肯定応答データパケットのターゲットデータパケットフォーマット、及び／又はアップリンク肯定応答データパケットの送信機会を有する場合、端末にターゲットデータパケットフォーマット及び／又は送信機会を送信し、ターゲットデータパケットフォーマット及び／又は送信機会に基づいて端末により送信されるアップリンク肯定応答データパケットを受信する段階、適応伝送ポリシが第１の命令情報を有する場合、ダウンリンクデータ伝送に対するＦＥＣメカニズムを有効にする段階であって、第１の命令情報は、ダウンリンクデータ伝送に対するＦＥＣメカニズムを有効にするように命令するために用いられる、有効にする段階、適応伝送ポリシが第１のサイズを有する場合、ダウンリンクデータ伝送に対するＦＥＣメカニズムを有効ににし、第１のサイズに基づいて、端末にダウンリンクデータパケットを送信する段階であって、第１のサイズは、ダウンリンクデータ伝送に対する予め生成されたＦＥＣ  ｇｒｏｕｐのサイズである、段階、又は適応伝送ポリシが第２のサイズを有する場合、第２のサイズに基づいて、端末にダウンリンクデータパケットを送信する段階であって、第２のサイズは、ダウンリンクデータ伝送に対する予め生成されたＦＥＣ  ｇｒｏｕｐのサイズである、送信する段階を含む。
【００２５】
第２の態様によると、適応伝送装置が提供される。適応伝送装置は、プロセッサ、及び当該プロセッサに接続される送信機を含む。プロセッサは命令を実行するように構成されており、プロセッサは命令を実行することにより、第１態様における適応伝送方法を実装する。
【００２６】
第３の態様によると、適応伝送装置が提供される。適応伝送装置は少なくとも１つのユニットを含み、少なくとも１つのユニットは、第１態様において提供される適応伝送方法を実装するように構成されている。
【図面の簡単な説明】
【００２７】
【図１】本発明の実施形態に係る実装環境の概略図である。
【００２８】
【図２】本発明の実施形態に係る適応伝送方法のフローチャートである。
【００２９】
【図３】本発明の実施形態に係るＴＣＰにおけるアップリンク肯定応答データパケットの可能な構造の概略図である。
【００３０】
【図４】本発明の実施形態に係る適応伝送方法のフローチャートである。
【００３１】
【図５】本発明の実施形態に係る適応伝送装置の概略構造図である。
【００３２】
【図６】本発明の実施形態に係る適応伝送装置の概略構造図である。
【発明を実施するための形態】
【００３３】
本明細書に言及されている「第１」、「第２」などは、いかなる順番、数、又は重要度も示しておらず、様々なコンポーネントを区別するために用いられるものに過ぎない。同様に、「ある」、「１つ」なども数の限定を示すことを意図しているものではないが、少なくとも１つを示すことを意図している。「接続」、「リンク」などは物理的又は機械的接続に限定されるものではないが、直接リンク又は間接リンクにかかわらず電気的接続を含んでよい。
【００３４】
本明細書に言及されている「モジュール」は通常、メモリに記憶されるプログラム又は命令であり、いくつかの機能を実装できるものでる。本明細書に言及されている「ユニット」は通常、論理に基づいて分割される機能構造である。「ユニット」は、ハードウェアのみにより実装され得るか、又はソフトウェアとハードウェアとの組み合わせにより実装され得る。
【００３５】
本明細書において、「複数の」は２又は２より多いことを意味する。「及び／又は」は関連する物体間の関連関係を説明し、３つの関係が存在し得ることを表す。例えば、Ａ及び／又はＢとは、以下の３つの状況を表してよい：Ａのみ存在する、Ａ及びＢの両方が存在する、Ｂのみ存在する。記号「／」は概して、関連対象物間の「又は」の関係を示す。
【００３６】
図１は、本発明の実施形態に係る適応伝送方法に関与する実装環境の概略図である。図１に示されるように、実装環境は端末１１０及びネットワーク側デバイス１２０を含んでよい。
【００３７】
端末１１０はモバイル端末、例えば携帯電話（又は「セルラ」電話と称される）又はモバイル端末を有するコンピュータ、例えばポータブルの、ポケットサイズの、ハンドヘルドの、コンピュータ内蔵型の、又は車載のモバイル装置であってよい。これに限定されることはない。他の例の場合、端末１１０は加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ、ＭＳ）、モバイルコンソール（Ｍｏｂｉｌｅ）、リモートステーション（Ｒｅｍｏｔｅ  Ｓｔａｔｉｏｎ、ＲＳ）、アクセスポイント（Ａｃｃｅｓｓ  Ｐｏｉｎｔ 、ＡＰ）、リモート端末（Ｒｅｍｏｔｅ  Ｔｅｒｍｉｎａｌ）、アクセスターミナル（Ａｃｃｅｓｓ  Ｔｅｒｍｉｎａｌ、ＡＴ）、ユーザ端末（Ｕｓｅｒ  Ｔｅｒｍｉｎａｌ、ＵＴ）、ユーザエージェント（Ｕｓｅｒ  Ａｇｅｎｔ、ＵＡ）、端末（Ｕｓｅｒ  Ｄｅｖｉｃｅ）、加入者構内機器（Ｃｕｓｔｏｍｅｒ  Ｐｒｅｍｉｓｅｓ  Ｅｑｕｉｐｍｅｎｔ、ＣＰＥ）、又はユーザ装置（Ｕｓｅｒ  Ｅｑｕｉｐｍｅｎｔ、ＵＥ）であってよい。任意選択的に、端末１１０はリレー（Ｒｅｌａｙ）であってもよい。この実施形態はこれを限定しない。
【００３８】
実際の実装の間、端末１１０は、ワイヤレスエアインタフェースを用いてネットワーク側デバイス１２０にワイヤレス接続を確立し、ワイヤレス接続を通じてネットワーク側デバイス１２０にアップリンクデータを送信してよい。ワイヤレスエアインタフェースは、４Ｇ規格及び５Ｇ規格に基づく、任意の周波数でのワイヤレスエアインタフェースであってよい。例えば、ワイヤレスエアインタフェースは新無線（Ｎｅｗ  Ｒａｄｉｏ、ＮＲ）エアーインタフェースである。あるいは、ワイヤレスエアインタフェースは、次世代モバイル通信ネットワーク技術規格に基づく５Ｇベースのワイヤレスエアインタフェースであってよい。任意選択的に、ワイヤレスエアインタフェースはワイヤレス・フィディリティ（Ｗｉｒｅｌｅｓｓ  Ｆｉｄｅｌｉｔｙ、ＷｉＦｉ）エアーインタフェースであってよい。
【００３９】
加えて、セルエッジにおけるエッジユーザの場合、セルエッジにおけるネットワークカバレージが比較的悪いため、エッジユーザのアップリンク伝送レートは通常、ダウンリンク伝送要件を満たすことができない。そのため、以下の実施形態において説明される端末１１０は、セルエッジにおけるエッジユーザであってよい。この実施形態はこれを限定しない。
【００４０】
ネットワーク側デバイス１２０は無線アクセスネットワーク（Ｒａｄｉｏ  Ａｃｃｅｓｓ  Ｎｅｔｗｏｒｋ、ＲＡＮ）デバイス、コアネットワークデバイス、サービスサーバ、又はサービスデータ伝送プロセスにおける任意の中継デバイスであってよい。中継デバイスはＵＥであってよい。これに限定されることはない。加えて、実際の実装の間、ネットワーク側デバイス１２０はさらに、制御プレーン及びユーザプレーンの２つの論理的機能エンティティに分割されてよく、以下の実施形態において説明されるネットワーク側デバイスの機能は、制御プレーンにより実装されてもよく、又はユーザプレーンにより実装されてもよい。これに限定されることはない。
【００４１】
端末１１０とネットワーク側デバイス１２０との間で交換されるデータパケットは、ＴＣＰ又はＱＵＩＣプロトコルに基づいてカプセル化されるデータパケットであってよい。あるいは、任意選択的に、端末１１０とネットワーク側デバイス１２０との間で交換されるデータパケットは別のトランスポート層又はアプリケーション層のプロトコルに基づいてカプセル化されるデータパケットであってよく、プロトコルはフィードバックベースのプロトコルである。この実施形態はこれを限定しない。
【００４２】
以下の実施形態において提供される適応伝送方法は、図１に示される端末１１０に適用されてよく、又は図１に示されるネットワーク側デバイス１２０に適用されてよい。これらの実施形態はこれを限定しない。以下の実施形態において、アップリンクは端末からネットワーク側デバイスに向かう経路を、ダウンリンクはネットワーク側デバイスから端末に向かう経路を意味する。これに限定されることはない。加えて、以下の実施形態において、端末１１０はダウンリンクデータパケットの受信端として機能し、ダウンリンクデータパケットのアップリンクフィードバック情報を送信する機能を有する。
【００４３】
図２は、本発明の実施形態に係る適応伝送方法の方法フローチャートである。この実施形態は、図１に示される端末１１０に適応伝送方法が適用される例を用いて説明される。図２に示されるように、適応伝送方法は以下の段階を含む。
【００４４】
段階２０１．アップリンクレート計算パラメータを取得し、アップリンクレート計算パラメータに基づいて第１のアップリンク伝送レートを決定する。
【００４５】
アップリンクレート計算パラメータは、端末の過去のアップリンク伝送レート、端末のチャネル品質情報、端末のサービス情報、端末のサービス品質（Ｑｕａｌｉｔｙ  ｏｆ  Ｓｅｒｖｉｃｅ、ＱｏＳ）情報、及びネットワーク側デバイスにより送信されるアップリンク利用可能伝送レートのうち少なくとも１つを含む。過去のアップリンク伝送レートは、端末によりこれまでにサポートされたアップリンク伝送レートである。例えば、過去のアップリンク伝送レートは過去の期間に基づいて端末により計算される。
【００４６】
第１のアップリンク伝送レートは、端末が利用可能なアップリンク伝送レートである。
【００４７】
例えば、アップリンクレート計算パラメータは過去のアップリンク伝送レートを含む。端末は、過去のアップリンク伝送レートに基づいて第１のアップリンク伝送レートを計算する。例えば、端末は、過去のアップリンク伝送レートを第１のアップリンク伝送レートとして直接用いてよい。
【００４８】
例えば、アップリンクレート計算パラメータは、端末の過去のアップリンク伝送レート及びチャネル品質情報を含む。端末は、端末の過去のアップリンク伝送レート及びチャネル品質情報に対して加重計算を実行し、第１のアップリンク伝送レートを取得する。
【００４９】
任意選択的に、アップリンクレート計算パラメータはさらに、ネットワーク側デバイスにより送信される保証ビットレートを含んでよい。この場合、この段階は、受信された保証ビットレートを第１のアップリンク伝送レートとして決定する段階を含んでよい。
【００５０】
段階２０２．ダウンリンク伝送レートを取得する。
【００５１】
端末は、以下の３つの可能な実装においてダウンリンク伝送レートを取得してよい。
【００５２】
第１の可能な実装において、端末は、ネットワーク側デバイスにより送信されるダウンリンク伝送レートを受信する。ネットワーク側デバイスにより送信されるダウンリンク伝送レートは、ダウンリンクレート計算パラメータに基づいてネットワーク側デバイスにより計算及び送信されるレートである。ダウンリンクレート計算パラメータは、ターゲット情報、ダウンリンクサービスの保証レート、及びダウンリンクサービスのビットレート情報のうち少なくとも１つを含む。ターゲット情報は、ダウンリンクサービスデータ量及びダウンリンクサービス伝送期間を含む。
【００５３】
ダウンリンクレート計算パラメータに基づいてネットワーク側デバイスがダウンリンク伝送レートを計算する段階は、ダウンリンクレート計算パラメータがターゲット情報を含む場合、ダウンリンク伝送レートは、ダウンリンクサービスデータ量をダウンリンクサービス伝送期間で割ったものに等しいこと、ダウンリンクレート計算パラメータがダウンリンクサービスの保証レートを含む場合、ダウンリンク伝送レートは、ダウンリンクサービスの保証レートに等しいこと、又は、ダウンリンクレート計算パラメータがダウンリンクサービスのビットレート情報を含む場合、ダウンリンク伝送レートは、ｋを乗じたダウンリンクサービスのビットレートに等しく、ｋは定数であり、通常は１．２又は１．３であり、これは限定されるものではないこととを含む。
【００５４】
ダウンリンク伝送レートは、ネットワーク側デバイスがダウンリンクデータパケットを伝送する前に定期的に取得され端末に送信されるレートであってよい、又はネットワーク側デバイスがダウンリンクデータパケットを伝送するプロセスにおいて取得され端末に送信されるレートであってよいことに注意すべきである。これに限定されることはない。
【００５５】
第２の可能な実装において、端末はネットワーク側デバイスにより送信されるダウンリンクレート計算パラメータを受信し、ダウンリンクレート計算パラメータに基づいてダウンリンク伝送レートを計算する。ダウンリンクレート計算パラメータは第１の可能な実装において説明される。詳細はここで再度記載しない。端末がダウンリンクレート計算パラメータに基づいてダウンリンク伝送レートを計算する計算方式は、ネットワーク側デバイスがダウンリンクレート計算パラメータに基づいてダウンリンク伝送レートを計算する計算方式と同様である。詳細はここで再度記載しない。
【００５６】
第３の可能な実装において、端末はダウンリンクデータ受信ステータスに基づいてダウンリンク伝送レートを計算する。
【００５７】
任意選択的に、受信されたダウンリンクデータパケットのサイズ及びダウンリンクデータパケットを受信するために用いられる期間を端末が取得し、取得された期間に対する取得されたサイズの比を計算し、計算された比をダウンリンク伝送レートとして用いてよい。
【００５８】
上述の取得方式において端末がダウンリンク伝送レートを取得する例のみが、上記で用いられていることに注意すべきである。任意選択的に、端末は別の取得方式でダウンリンク伝送レートを取得してよい。これに限定されることはない。
【００５９】
段階２０３．ダウンリンク伝送レートに基づいて第２のアップリンク伝送レートを計算する。
【００６０】
第２のアップリンク伝送レートは、ダウンリンク伝送レート、及びダウンリンク伝送レートとアップリンク伝送レートとの間の関係に基づいて計算される。ダウンリンク伝送レートとアップリンク伝送レートとの間の関係は、ダウンリンクデータパケットのサイズ、アップリンク肯定応答データパケットのサイズ、アップリンク肯定応答データパケットの数とダウンリンクデータパケットの数との間の対応関係に基づく変換を通じて取得され得る。
【００６１】
ＴＣＰが例として用いられる。２つのダウンリンクデータパケットが１つのアップリンク肯定応答データパケットに対応する場合、ダウンリンクデータパケットの最大サイズは１５００バイトで、アップリンク肯定応答データパケットのサイズは４０バイトであるとき、アップリンクデータ量とダウンリンクデータ量との間の差は（１５００×２）／４０＝７５倍である。アップリンクデータ量とダウンリンクデータ量との間の差がレート差に変換された場合、ダウンリンク伝送レートはアップリンク伝送レートよりも７５倍大きい。言い換えれば、第２のアップリンク伝送レートはダウンリンク伝送レートを７５で割った値に等しい。
【００６２】
任意選択的に、端末はさらに、端末のサービス要求を取得し、ダウンリンク伝送レート及びサービス要求に基づいて第２のアップリンク伝送レートを計算してよい。サービス要求は、サービスタイプ及びサービスコンテキスト情報のうち少なくとも１つを含んでよい。
【００６３】
ダウンリンクサービスがハイブリッドサービスである場合、ダウンリンク伝送レートとアップリンク伝送レートとの間の関係に基づいて第２のアップリンク伝送レートを取得することは不正確である。この場合、様々なサービスのダウンリンク伝送レートがさらに区別される必要がある。そのため、第２のアップリンク伝送レートは、サービスタイプ及びサービスタイプのサービスのダウンリンク伝送レートに基づいて取得される必要がある。具体的に、特定のダウンリンク伝送レートを計算する場合、端末は、様々なサービスタイプのダウンリンクデータパケットについて統計を個別に収集し、サービスのダウンリンク伝送レートを取得し、サービスの第２のアップリンク伝送レートを取得する。
【００６４】
実際の実装の間、段階２０１から段階２０３は、トランスポート層、ネットワーク層、物理層、メディアアクセス制御（Ｍｅｄｉａ  Ａｃｃｅｓｓ  Ｃｏｎｔｒｏｌ、ＭＡＣ）層、無線リンク制御（Ｒａｄｉｏ  Ｌｉｎｋ  Ｃｏｎｔｒｏｌ、ＲＬＣ）プロトコル層、又はパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層における任意のエンティティにより実行されてよい。
【００６５】
段階２０１から段階２０３は定期的に実行されてよいことをさらに注意すべきである。これに限定されることはない。
【００６６】
段階２０４．第１のアップリンク伝送レートが第２のアップリンク伝送レートより小さい場合、適応伝送ポリシを決定する。
【００６７】
第１のアップリンク伝送レート及び第２のアップリンク伝送レートを計算した後、端末は第１のアップリンク伝送レートが第２のアップリンク伝送レートより小さいかを検知してよく、第１のアップリンク伝送レートが第２のアップリンク伝送レートより小さい場合、端末は、適応伝送ポリシを決定する。
【００６８】
適応伝送ポリシが、単位期間内に送信されるアップリンク肯定応答データパケットのサイズを低減するように端末に命令するために用いられることで、サービスのアップリンク肯定応答データパケットが第１のアップリンク伝送レート以下のレートで伝送される場合、サービスのダウンリンクデータパケットは、ダウンリンク伝送レート以上のレートで伝送されることができる。任意選択的に、適応伝送ポリシの命令に従って単位期間内に端末により送信されるアップリンク肯定応答データパケットの合計サイズは、過去の伝送ポリシの命令に従って単位期間内に端末により送信されるアップリンク肯定応答データパケットの合計サイズより小さい。過去の伝送ポリシは、適応伝送ポリシが決定される前に用いられている伝送ポリシである。単位期間は予め設定された期間、例えば１秒又は３０秒であってよい。単位期間内に送信されるアップリンク肯定応答データパケットの合計サイズの低減は、送信される必要があるアップリンク肯定応答データパケット１つのサイズの低減、又は送信される必要があるアップリンク肯定応答データパケットの数の低減、又はその両方であってよい。
【００６９】
実際の実装の間、端末は、以下の可能な実装のうち少なくとも１つにおいて適応伝送ポリシを決定してよい。
【００７０】
第１の可能な実装において、アップリンク肯定応答データパケットのターゲットデータパケットフォーマットが決定される。
【００７１】
第１のアップリンク伝送レートが第２のアップリンク伝送レートより小さい場合、アップリンクレートをダウンリンクレートと一致させ、ダウンリンクスループットに対する影響を低減するために、端末は比較的小さいアップリンク肯定応答データパケットを構築及び送信してよい。任意選択的に、端末はアップリンク肯定応答データパケットのターゲットデータパケットフォーマットを決定してよい。ターゲットデータパケットフォーマットにおけるアップリンク肯定応答データパケットのサイズは、初期データパケットフォーマットにおけるアップリンク肯定応答データパケットのサイズより小さい。ターゲットデータパケットフォーマットが決定される時点は第１の時点であり、初期データパケットフォーマットは、アップリンク肯定応答データパケットが第１の時点で送信される必要がある場合に用いられるデータパケットフォーマットである。任意選択的に、初期データパケットフォーマットはこれまで送信されたアップリンク肯定応答データパケットのデータパケットフォーマット、言い換えれば、適応伝送ポリシが用いられる前に用いられているアップリンク肯定応答データパケットのデータパケットフォーマットである。初期データパケットフォーマットは、システムにおいて規定されるフォーマットである。
【００７２】
ターゲットデータパケットフォーマットは、正しく受信されたダウンリンクデータパケットの最大のシーケンス番号を示すために用いられるインジケーション情報を含むか、又は当該インジケーション情報及び受信されたタイムスタンプ情報を含む。インジケーション情報は、連続的に受信されたダウンリンクデータパケットの最大のシーケンス番号、又は受信予定の次回のダウンリンクデータパケットのシーケンス番号であってよい。実際の実装の間、ターゲットデータパケットフォーマットが選択的肯定応答（Ｓｅｌｅｃｔｉｖｅ  Ａｃｋｎｏｗｌｅｄｇｅｍｅｎｔ、ＳＡＣＫ）を含まない場合、インジケーション情報は、連続的に受信されたダウンリンクデータパケットの次回のダウンリンクデータパケットのシーケンス番号であり、ターゲットデータパケットフォーマットがＳＡＣＫを含む場合、インジケーション情報は、ＳＡＣＫにより確認されたダウンリンクデータパケットの次回のダウンリンクデータパケットのシーケンス番号である。
【００７３】
任意選択的に、図３はＴＣＰにおけるアップリンク肯定応答データパケットの一般的なフォーマットを示す。ＴＣＰの場合、ターゲットデータパケットフォーマットはＴＣＰヘッダであるか、又はＴＣＰヘッダ＋タイムスタンプ（オプションの）である。図３を参照すると、ＴＣＰヘッダにおける３２ビット肯定応答シーケンス番号は、連続的に受信されたダウンリンクデータパケットの最大のシーケンス番号である。任意選択的に、ターゲットデータパケットフォーマットにおけるアップリンク肯定応答データパケットのサイズをさらに低減するために、ターゲットデータパケットフォーマットのＴＣＰヘッダにおけるいくつかのドメインを省略してよい。例えば、図３に示される３２ビットシーケンス番号のドメインは、ＴＣＰヘッダにおいて省略されてよい。ＴＣＰにおいて、オプションにおけるタイムスタンプ及びいくつかの受信されたデータパケット情報（ＴＣＰ  ＳＡＣＫ又はＴＣＰ重複選択的肯定応答（Ｄｕｐｌｉｃａｔｅ‐Ｓｅｌｅｃｔｉｖｅ  Ａｃｋｎｏｗｌｅｄｇｅｍｅｎｔ、Ｄ‐ＳＡＣＫ））は、ＴＣＰ接続の確立の間、受信側及び送信側が合意した機能である。そのため、機能がサポートされると決定されると、タイムスタンプ情報は常に搬送され、データパケットが不連続に受信される場合、オプションにおけるいくつかの受信されたデータパケット情報は搬送される。そのため、ターゲットデータパケットフォーマットにおけるアップリンク肯定応答データパケットは、初期データパケットフォーマットにおけるアップリンク肯定応答データパケットより小さい。例えば、初期データパケットフォーマットがＴＣＰヘッダ＋タイムスタンプである場合、ターゲットデータパケットフォーマットはＴＣＰヘッダであってよい。他の例の場合、初期データパケットフォーマットがＴＣＰ  Ｄ‐ＳＡＣＫである場合、ターゲットデータパケットフォーマットは、ＴＣＰヘッダ又はＴＣＰヘッダ＋タイムスタンプであってよい。
【００７４】
加えて、アップリンク肯定応答データパケットはさらにデータ部分を含んでよく、データ部分は通常、比較的大量のコンテンツを含む。そのため、この実施形態において、ターゲットデータパケットフォーマットにおけるアップリンク肯定応答データパケットのサイズを低減するために、ターゲットデータパケットフォーマットはデータ部分を含まなくてよく、データ部分及びアップリンク肯定応答データパケットは個別に送信される。これに限定されることはない。
【００７５】
任意選択的に、ＱＵＩＣにおいて、データパケットフォーマットは、Ｌａｒｇｅｓｔ  ＡＣＫｅｄ（ＱＵＩＣ  ＡＣＫは１つのドメインのみを含む）、Ｎ個のＡＣＫブロック（Ｎ≧１）、Ｌａｒｇｅｓｔ  ＡＣＫｅｄ＋ｔｉｍｅｓｔａｍｐ、Ｌａｒｇｅｓｔ  ＡＣＫｅｄ＋Ｔｉｍｅ  ｓｉｎｃｅ  ｌａｒｇｅｓｔ  ＡＣＫｅｄ  ｂｌｏｃｋ、又はＬａｒｇｅｓｔ  ＡＣＫｅｄ＋ｔｉｍｅｓｔａｍｐ＋Ｔｉｍｅ  ｓｉｎｃｅ  ｌａｒｇｅｓｔ  ＡＣＫｅｄ  ｂｌｏｃｋを含んでよい。実際の実装の間、データパケットフォーマットはさらに、別のフィールド、例えば、タイプのフィールドを含んでよい。この実施形態はこれを限定しない。一般に、ＱＵＩＣにおける肯定応答パケットフォーマットは、完全には決定されない。後続の進化と共に、上述のデータパケットフォーマットにおけるドメイン名が変化してよい。ここでは一例のみが用いられており、各ドメインの機能は限定として用いられる。
【００７６】
実際の実装の間、この段階は、第２のアップリンク伝送レートと第１のアップリンク伝送レートとの間の差を計算する段階と、当該差に対応するターゲットデータパケットフォーマットを取得する段階とを含んでよい。ターゲットデータパケットフォーマットにおける決定されたアップリンク肯定応答データパケットが大きいほど、差が小さくなる。任意選択的に、端末は、差とターゲットデータパケットフォーマットとの間の対応関係に基づいて、差に対応するターゲットデータパケットフォーマットを決定してよい。対応関係は、差分範囲とデータパケットフォーマットとの間の対応関係であってよい。例えば、初期データパケットフォーマットはＴＣＰ  ＳＡＣＫである。表１は可能な対応関係を示す。他の例の場合、初期データパケットフォーマットはＴＣＰ  Ｄ‐ＳＡＣＫである。表２可能な対応関係を示す。
【表１】
0006805365.tif 000002
【表２】
0006805365.tif 000003
【００７７】
例えば、本方法はＴＣＰに適用され、初期データパケットフォーマットはＴＣＰ  ＳＡＣＫである。表１に基づいて、計算した差分が１０であると仮定すると、端末はＴＣＰヘッダ＋タイムスタンプをターゲットデータパケットフォーマットとして決定し得るか、又は計算した差分が５０であると仮定すると、端末はＴＣＰヘッダをターゲットデータパケットフォーマットとして決定し得る。
【００７８】
第２の可能な実装において、アップリンク肯定応答データパケットの送信機会が決定される。送信機会は、Ｍ個のダウンリンクデータパケットが受信された後にアップリンク肯定応答データパケットを返すことであり、ＭはＮより大きい整数であり、送信機会が決定される時点は第２の時点であり、Ｎは、アップリンク肯定応答データパケットが第２の時点で送信される必要がある場合に受信されるダウンリンクデータパケットの数である。
【００７９】
例えば、送信機会を決定する場合、３つのダウンリンクデータパケットを受信した後に、端末は１つのアップリンク肯定応答データパケットをネットワーク側デバイスに送信する。この場合、Ｎは３であり、端末により決定されるＭは４又は５であってよい。これに限定されることはない。
【００８０】
端末は予め設定されたＭを取得してよい。もちろん実際の実装の間この段階はさらに、第２のアップリンク伝送レートと第１のアップリンク伝送レートとの間の差を計算する段階と、差に対応するＭの値を取得する段階であって、Ｍの値が大きいほど差が大きくなる、取得する段階とを含んでよい。任意選択的に、端末は、差分範囲とＭの値との間の対応関係に基づいて、計算した差分に対応するＭの値をクエリしてよい。これに限定されることはない。
【００８１】
Ｍの値が大きいほど、アップリンク肯定応答データパケットが返される前に受信されたダウンリンクデータパケットの数が大きくなる。そのため、大量のダウンリンクデータパケットを送信した後にネットワーク側デバイスがアップリンク肯定応答データパケットを受信しないので、システムパフォーマンスが劣化するという問題を解消するために、Ｍの値は予め設定された値より小さく、予め設定された値は経験上の値であってよい。この実施形態はこれを限定しない。
【００８２】
各ダウンリンクデータパケットが正しく受信された後に、送信機会はターゲット継続期間内にアップリンク肯定応答データパケットを代替的に返してよいことに注意すべきである。ターゲット継続期間は予め設定された期間より小さく、予め設定された期間は、各ダウンリンクデータパケットがこれまで正しく受信された後に、アップリンク肯定応答データパケットが返される間隔期間である。例えば、予め設定された期間は２０ｍｓである。アップリンク肯定応答データパケットの返信レートを保証するために、端末は、ダウンリンクデータパケットを受信した後に、５ｍｓ以内にアップリンク肯定応答データパケットをネットワーク側デバイスに返してよい。
【００８３】
第３の可能な実装において、ネットワーク側デバイスが、ダウンリンクデータ伝送に対する前方誤り訂正（Ｆｏｒｗａｒｄ  Ｅｒｒｏｒ  Ｃｏｒｒｅｃｔｉｏｎ 、ＦＥＣ）メカニズムを有効にしていない場合、第１の命令情報が生成されるか、又はダウンリンクデータ伝送に対するＦＥＣ  ｇｒｏｕｐの第１のサイズが計算される。第１の命令情報はダウンリンクデータ伝送に対するＦＥＣメカニズムを有効にするように命令するために用いられ、ダウンリンクデータ伝送に対するＦＥＣメカニズムをネットワーク側デバイスが有効にした場合、ダウンリンクデータ伝送に対するＦＥＣ  ｇｒｏｕｐの第２のサイズが計算される。第２のサイズはＦＥＣ  ｇｒｏｕｐの元のサイズより小さい。元のサイズは、ネットワーク側デバイスにより有効にされたダウンリンクデータ伝送に対するＦＥＣメカニズムにおいて用いられるＦＥＣ  ｇｒｏｕｐのサイズである。
【００８４】
第３の可能な実装において、端末はさらに、ダウンリンクデータ伝送に対するＦＥＣメカニズムをネットワーク側デバイスが有効にしたかを検知してよい。ダウンリンクデータ伝送に対するＦＥＣメカニズムが有効にされた後に、端末によるダウンリンクデータパケットの受信の精度は改善する。言い換えれば、送信される必要があるアップリンク肯定応答データパケットの数又はサイズが低減する。そのため、ダウンリンクデータ伝送に対するＦＥＣメカニズムをネットワーク側デバイスが有効にしなかった場合、第１のアップリンク伝送レートが第２のアップリンク伝送レートより小さい場合にアップリンク肯定応答データパケットが送信されることを保証するために、端末は第１の命令情報を生成してよく、第１の命令情報は、ダウンリンクデータ伝送に対するＦＥＣメカニズムを有効にするようにネットワーク側デバイスに命令するために用いられる。任意選択的に、端末はＦＥＣ  ｇｒｏｕｐの第１のサイズを計算してよい。この実施形態はこれを限定しない。しかしながら、端末の検出結果が、ダウンリンクデータ伝送に対するＦＥＣメカニズムをネットワーク側デバイスが有効にしたことである場合、ＦＥＣ  ｇｒｏｕｐが小さいほど冗長性がより高くなり、且つ、端末がダウンリンクデータパケットを問題なく受信する可能性がより高くなるため、アップリンク肯定応答データパケットの送信を保証するために、ダウンリンクデータ伝送に対するＦＥＣ  ｇｒｏｕｐの第２のサイズを端末が計算してよい。ＦＥＣメカニズムはサーバ又はトランスポート層のみに存在することに注意すべきである。そのため、ネットワーク側デバイスはサービスサーバ、又はトランスポート層機能を有するデバイスであり得る。
【００８５】
任意選択的に、端末は、ＦＥＣ  ｇｒｏｕｐの既存の計算方式に基づいて第１のサイズを計算してよい。これに限定されることはない。  端末により第２のサイズを計算する段階は、第２のアップリンク伝送レートと第１のアップリンク伝送レートとの間の差を計算する段階と、当該差に対応する第２のサイズを取得する段階であって、第２のサイズの値が大きいほど、第２のサイズに対応する差が小さくなる、取得する段階とを含んでよい。
【００８６】
上述の３の実装のうち少なくとも１つで適応伝送ポリシを端末が決定する一例のみが、上記で用いられる。任意選択的に、端末は別の方式で適応伝送ポリシを決定してもよい。この実施形態はこれを限定しない。
【００８７】
任意選択的に、第１のアップリンク伝送レートが第２のアップリンク伝送レートより小さくない場合、端末は既存の伝送ポリシに従って伝送を実行してよい。この実施形態において、詳細は再度記載しない。
【００８８】
段階２０５．適応伝送ポリシに従ってピアエンドにデータを伝送する。
【００８９】
適応伝送ポリシが複数の実現方式を含み得るため、この段階は、それに対応して以下の可能な実装を含み得る。
【００９０】
アップリンク肯定応答データパケットのターゲットデータパケットフォーマットを適応伝送ポリシが含む場合、アップリンク肯定応答データパケットは、ターゲットデータパケットフォーマットに基づいてネットワーク側デバイスに送信される。
【００９１】
ターゲットデータパケットフォーマットが取得されたと決定された後に、アップリンク肯定応答データパケットが送信される必要がある場合、端末は、ターゲットデータパケットフォーマットにおけるアップリンク肯定応答データパケットをネットワーク側デバイスに送信してよい。例えば、ＴＣＰベースの通信システムにおいて、取得されたターゲットデータパケットフォーマットがＴＣＰヘッダであると決定された場合、端末は、アップリンク肯定応答データパケットを送信する場合、ＴＣＰヘッダのみを含むアップリンク肯定応答データパケットを送信してよい。
【００９２】
アップリンク肯定応答データパケットの送信機会を適応伝送ポリシが含む場合、アップリンク肯定応答データパケットは、送信機会に基づいてネットワーク側デバイスに送信される。
【００９３】
任意選択的に、Ｍ個のダウンリンクデータパケットが受信された後に、送信機会がアップリンク肯定応答データパケットを返す場合、端末は、端末とネットワーク側デバイスとの間でのデータ伝送の間、Ｍ個のダウンリンクデータパケットを受信した後にアップリンク肯定応答データパケットを返してよい。これに限定されることはない。ダウンリンクデータパケットが受信された後に、送信機会がターゲット継続期間以内にアップリンク肯定応答データパケットを返す場合、端末は、ダウンリンクデータパケットが受信された後に、ターゲット継続期間以内にアップリンク肯定応答データパケットをネットワーク側デバイスに返してよい。
【００９４】
適応伝送ポリシが第１の命令情報を含む場合、第１の命令情報はネットワーク側デバイスに送信され、第１の命令情報を受信した後に、ネットワーク側デバイスはダウンリンクデータ伝送に対する前方誤り訂正ＦＥＣメカニズムを有効にする。第１の命令情報は、ダウンリンクデータ伝送に対するＦＥＣメカニズムを有効にするように命令するために用いられる。
【００９５】
ＴＣＰの場合、端末は、ＴＣＰオプションを用いて第１の命令情報をネットワーク側デバイスに送信してよい。これに限定されることはない。ＱＵＩＣの場合、端末は、ＱＵＩＣ  ＱＩＮＤＯＷ＿ＵＰＤＡＴＥを用いて第１の命令情報をネットワーク側デバイスに送信してよい。端末が上述の２つのタイプの情報を用いて第１の命令情報をネットワーク側デバイスに送信する一例のみが、上記で用いられる。任意選択的に、実際の実装の間、各伝送システムについて、端末は別の方式で第１の命令情報をネットワーク側デバイスに送信してよい。実際の実装はこの実施形態に限定されるものではない。
【００９６】
適応伝送ポリシが第１のサイズを含む場合、第１のサイズはネットワーク側デバイスに送信され、第１のサイズを受信した後に、ネットワーク側デバイスはダウンリンクデータ伝送に対するＦＥＣメカニズムを有効にし、第１のサイズに基づいてダウンリンクデータパケットを端末に送信する。第１のサイズは、端末により生成され、ダウンリンクデータ伝送に用いられるＦＥＣ  ｇｒｏｕｐのサイズである。
【００９７】
この実装は上記の実装と同様である。詳細はここで再度記載しない。
【００９８】
適応伝送ポリシが第２のサイズを含む場合、第２のサイズはネットワーク側デバイスに送信され、第２のサイズを受信した後に、ネットワーク側デバイスは第２のサイズに基づいてダウンリンクデータパケットを端末に送信する。第２のサイズは、端末により生成され、ダウンリンクデータ伝送に用いられるＦＥＣ  ｇｒｏｕｐのサイズである。
【００９９】
実際の実装の間、段階２０４及び段階２０５は、端末におけるトランスポート層又は物理層により実装されてよい。この実施形態はこれを限定しない。
【０１００】
結論として、この実施形態において提供される適応伝送方法によると、第１のアップリンク伝送レートが第２のアップリンク伝送レートより小さい場合に適応伝送ポリシが決定され、データは適応伝送ポリシによりピアエンドに伝送されることで、関連技術においてアップリンク伝送レートが比較的低いためダウンリンクスループットが比較的低いという問題は解消され、アップリンク肯定応答データパケットのサイズを低減させることにより、送信される必要があるアップリンク肯定応答データパケットを送信するために用いられる時間が低減し得る。それにより、第１のアップリンク伝送レートが比較的低い場合の正常なアップリンク伝送を保証し、ダウンリンクスループットを改善する。
【０１０１】
図４は、本発明の別の実施形態に係る適応伝送方法の方法フローチャートである。この実施形態は、図１におけるネットワーク側デバイス１２０に適応伝送方法が適用される例を用いて説明される。図４に示されるように、適応伝送方法は以下の段階を含む。
【０１０２】
段階４０１．端末により送信される第１のアップリンク伝送レートを受信する。
【０１０３】
第１のアップリンク伝送レートは、アップリンクレート計算パラメータに基づいて端末により計算及び送信されるレートである。端末が第１のアップリンク伝送レートを計算する計算方法は、上述の実施形態における段階２０１の計算方式と同様である。詳細はここで再度記載しない。
【０１０４】
段階４０２．ダウンリンク伝送レートを取得する
【０１０５】
ネットワーク側デバイスによりダウンリンク伝送レートを取得する段階は、ダウンリンクレート計算パラメータを取得する段階と、ダウンリンクレート計算パラメータに基づいてダウンリンク伝送レートを計算する段階とを含んでよい。具体的な計算方法は、上述の実施形態における段階２０２の計算方法と同様である。詳細はここで再度記載しない。
【０１０６】
段階４０３．ダウンリンク伝送レートに基づいて第２のアップリンク伝送レートを計算する。
【０１０７】
この段階は、上述の実施形態における段階２０３と同様である。詳細はここで再度記載しない。
【０１０８】
実際の実装の間、ネットワーク側デバイスはさらに、端末により送信されるサービス要求を受信し、その後、ダウンリンク伝送レート及びサービス要求に基づいて第２のアップリンク伝送レートを計算してよい。サービス要求は、サービスタイプ及びサービスコンテキスト情報のうち少なくとも１つを含んでよい。加えて、ダウンリンク伝送レート及びサービス要求に基づいて第２のアップリンク伝送レートをネットワーク側デバイスが計算する計算方式は、段階２０３における、端末が第２のアップリンク伝送レートを計算する計算方式と同様である。詳細はここで再度記載しない。
【０１０９】
加えて、ネットワーク側デバイスが段階４０２及び段階４０３を用いて第２のアップリンク伝送レートを取得する例のみが、この実施形態において用いられる。任意選択的に、ネットワーク側デバイスは、端末により送信される第２のアップリンク伝送レートを受信することにより第２のアップリンク伝送レートを取得してよい。第２のアップリンク伝送レートは、端末により取得及び送信されるレートである。端末が第２のアップリンク伝送レートを取得する取得方式は、上述の実施形態における段階２０２及び段階２０３の取得方式と同様である。詳細はここで再度記載しない。
【０１１０】
段階４０１から段階４０３は、トランスポート層、ネットワーク層、物理層、ＭＡＣ層、ＲＬＣ層、又はＰＤＣＰ層における任意のエンティティにより実行されてよい。
【０１１１】
段階４０４．第１のアップリンク伝送レートが第２のアップリンク伝送レートより小さい場合、適応伝送ポリシを決定する。
【０１１２】
この段階は、上述の実施形態における段階２０４と同様である。詳細はここで再度記載しない。
【０１１３】
任意選択的に、第１のアップリンク伝送レートが第２のアップリンク伝送レートより小さくない場合、ネットワーク側デバイスは既存の伝送ポリシに従って伝送を実行してよい。この実施形態において、詳細は再度記載しない。
【０１１４】
段階４０５．適応伝送ポリシに従ってピアエンドにデータを伝送する。
【０１１５】
適応伝送ポリシが複数の実現方式を含み得るため、それに対応して、この段階は以下の可能な実装を含み得る。
【０１１６】
適応伝送ポリシがアップリンク肯定応答データパケットのターゲットデータパケットフォーマット及び／又はアップリンク肯定応答データパケットの送信機会を含む場合、ターゲットデータパケットフォーマット及び／又は送信機会が端末に送信され、ターゲットデータパケットフォーマット及び／又は送信機会に基づいて端末が送信したアップリンク肯定応答データパケットが受信される。
【０１１７】
任意選択的に、端末がターゲットデータパケットフォーマットを受信する場合、端末がアップリンク肯定応答データパケットを送信する必要がある場合、端末は、ターゲットデータパケットフォーマットにおけるアップリンク肯定応答データパケットをネットワーク側デバイスに送信してよい。例えば、ターゲットデータパケットフォーマットがＴＣＰ  ＡＣＫである場合、アップリンク肯定応答データパケットが送信される必要があるとき、端末は、ＴＣＰ  ＡＣＫフォーマットにおけるアップリンク肯定応答データパケットをネットワーク側デバイスに送信してよい。端末が送信機会を受信する場合、端末は、送信機会が到達した場合にアップリンク肯定応答データパケットをネットワーク側デバイスに送信してよい。例えば、４つのダウンリンクデータパケットが受信されるとき、送信機会がネットワーク側デバイスにアップリンク肯定応答データパケットを返す場合、端末は、端末が４つのダウンリンクデータパケットを受信する度毎に、アップリンク肯定応答データパケットをネットワーク側デバイスに返してよい。
【０１１８】
適応伝送ポリシが第１の命令情報を含む場合、ダウンリンクデータ伝送に対するＦＥＣメカニズムが有効にされる。第１の命令情報は、ダウンリンクデータ伝送に対するＦＥＣメカニズムを有効にするように命令するために用いられる。
【０１１９】
適応伝送ポリシが第１のサイズを含む場合、ダウンリンクデータ伝送に対するＦＥＣメカニズムが有効にされ、ダウンリンクデータパケットは第１のサイズに基づいて端末に送信される。第１のサイズは、ネットワーク側デバイスにより生成され、ダウンリンクデータ伝送に用いられるＦＥＣ  ｇｒｏｕｐのサイズである。
【０１２０】
適応伝送ポリシが第２のサイズを含む場合、ダウンリンクデータパケットは第２のサイズに基づいて端末に送信される。第２のサイズは、ネットワーク側デバイスにより生成され、ダウンリンクデータ伝送に用いられるＦＥＣ  ｇｒｏｕｐのサイズである。
【０１２１】
段階４０４及び段階４０５は、ネットワーク側デバイスにおけるトランスポート層又は物理層により実装されてよい。この実施形態はこれを限定しない。
【０１２２】
結論として、この実施形態において提供される適応伝送方法によると、第１のアップリンク伝送レートが第２のアップリンク伝送レートより小さい場合に適応伝送ポリシが決定され、データは適応伝送ポリシによりピアエンドに伝送されることで、関連技術においてアップリンク伝送レートが比較的低いためダウンリンクスループットが比較的低いという問題は解消され、アップリンク肯定応答データパケットのサイズを低減させることにより、送信される必要があるアップリンク肯定応答データパケットを送信するために用いられる時間が低減し得る。それにより、第１のアップリンク伝送レートが比較的低い場合の正常なアップリンク伝送を保証し、ダウンリンクスループットを改善する。
【０１２３】
ネットワーク側デバイスが端末にダウンリンクデータパケットを送信し、端末がアップリンク肯定応答データパケットをフィードバックするシナリオに、上述の方法が適用される一例のみが、上述の実施形態を説明するために用いられる。実際の実装の間、端末がアップリンクデータパケットをネットワーク側デバイスに送信し、ネットワーク側デバイスがダウンリンク肯定応答データパケットをフィードバックするシナリオに本方法が適用されてもよい。この場合、方法は以下の段階を含んでよい。
【０１２４】
１．ネットワーク側デバイスの第１のダウンリンク伝送レート及び第２のダウンリンク伝送レートを取得する。第１のダウンリンク伝送レートは利用可能なダウンリンク伝送レートであり、第２のダウンリンク伝送レートは、サービスのアップリンクデータパケットが伝送されるアップリンク伝送レートをサポートするために必要とされるダウンリンク伝送レートである。
【０１２５】
２．第１のダウンリンク伝送レートが第２のダウンリンク伝送レートより小さい場合、適応伝送ポリシを決定する。適応伝送ポリシが、単位期間内に送信されるダウンリンク肯定応答データパケットのサイズを低減するようにネットワーク側デバイスに命令するために用いられることで、サービスのダウンリンク肯定応答データパケットが第１のダウンリンク伝送レート以下のレートで伝送される場合、サービスのアップリンクデータパケットはアップリンク伝送レート以上のレートで伝送され得る。
【０１２６】
３．適応伝送ポリシに従ってピアエンドにデータを伝送する。
【０１２７】
段階の実装詳細は、図２及び図３に対応する実施形態の実装詳細と同様である。この実施形態において、詳細は再度記載しない。
【０１２８】
図５は、本願の一例の実施形態に係る適応伝送装置の概略構造図である。適応伝送装置は、図１に示されるモバイル通信システムの端末１１０であってよく、又は図１に示されるネットワーク側デバイス１２０であってよい。適応伝送装置はプロセッサ５１、受信機５２、送信機５３、メモリ５４、及びバス５５を含む。
【０１２９】
プロセッサ５１は、１つ又はより多くの処理コアを含み、プロセッサ５１は、ソフトウェアプログラム及びモジュールを動作させて、さまざまな機能アプリケーションを実行し情報を処理する。
【０１３０】
受信機５２及び送信機５３は、通信コンポーネントとして実装されてよい。通信コンポーネントは、通信チップであってよい。通信チップは、受信モジュール、伝送モジュール、変調及び復調モジュールなどを含んでよく、無線信号を用いて情報を変調及び／又は復調し、情報を受信又は送信するように構成されている。
【０１３１】
メモリ５４は、バス５５を用いることにより、プロセッサ５１に接続されている。
【０１３２】
メモリ５４は主に、プログラム記憶領域およびデータ記憶領域を含み得る。プログラム記憶領域は、オペレーションシステム５４１、取得モジュール５４２、決定モジュール５４３、伝送モジュール５４４、及び少なくとも１つの他の機能により必要とされるアプリケーションプログラム５４５などを記憶してよい。データ記憶領域は、信号受信端の使用に基づいて形成されるデータなどを記憶してよい。加えて、メモリ５４は、任意のタイプの揮発性又は不揮発性記憶デバイス、又はこれらの組み合わせにより実装されてよい。
【０１３３】
プロセッサ５１は、上述の方法の実施形態における関連する取得段階を実装するための取得モジュール５４２の機能を実行するように構成されている。プロセッサ５１は、上述の方法の実施形態における関連する決定段階を実装するための決定モジュール５４３の機能を実行するように構成されている。プロセッサ５１は、上述の方法の実施形態における関連する伝送段階を実装するための伝送モジュール５４４の機能を実行するように構成されている。
【０１３４】
加えて、メモリ５４は、スタティックランダムアクセスメモリ（ＳＲＡＭ）、電気消去可能プログラマブルリードオンリメモリ（ＥＥＰＲＯＭ）、消去可能プログラマブルリードオンリメモリ（ＥＰＲＯＭ）、プログラマブルリードオンリメモリ（ＰＲＯＭ）、リードオンリメモリ（ＲＯＭ）、磁気メモリ、フラッシュメモリ、磁気ディスク、又は光ディスクのような、任意のタイプの揮発性又は不揮発性記憶デバイス、又はこれらの組み合わせにより実装されてよい。
【０１３５】
図６は、本発明の実施形態に係る適応伝送装置の概略構造図である。図６に示されるように、適応伝送装置は取得ユニット６１０、決定ユニット６２０、及び伝送ユニット６３０を含んでよい。
【０１３６】
適応伝送装置が端末に適用される場合、ユニットの機能は以下の通りである。
【０１３７】
取得ユニット６１０は、上述の実施形態における段階２０１から段階２０３を実行するように構成されている。
【０１３８】
決定ユニット６２０は、上述の実施形態における段階２０４を実行するように構成されている。
【０１３９】
伝送ユニット６３０は、上述の実施形態における段階２０５を実行するように構成されている。
【０１４０】
適応伝送装置がネットワーク側デバイスに適用される場合、ユニットの機能は以下の通りである。
【０１４１】
取得ユニット６１０は、上述の実施形態における段階４０１から段階４０３を実行するように構成されている。
【０１４２】
決定ユニット６２０は、上述の実施形態における段階４０４を実行するように構成されている。
【０１４３】
伝送ユニット６３０は、上述の実施形態における段階４０５を実行するように構成されている。
【０１４４】
結論として、この実施形態において提供される適応伝送方法によると、第１のアップリンク伝送レートが第２のアップリンク伝送レートより小さい場合に適応伝送ポリシが決定され、データは適応伝送ポリシによりピアエンドに伝送されることで、関連技術においてアップリンク伝送レートが比較的低いためダウンリンクスループットが比較的低いという問題は解消され、アップリンク肯定応答データパケットのサイズを低減させることにより、送信される必要があるアップリンク肯定応答データパケットを送信するために用いられる時間が低減し得る。それにより、第１のアップリンク伝送レートが比較的低い場合の正常なアップリンク伝送を保証し、ダウンリンクスループットを改善する。
【０１４５】
当業者であれば、本明細書において開示された実施形態で説明された例と組み合わせて、各ユニット及び各アルゴリズムステップが、電子ハードウェア又はコンピュータソフトウェアと電子ハードウェアとの組み合わせによって実装され得ることを認識するであろう。機能がハードウェアによって実行されるか、又は、ソフトウェアによって実行されるかは、技術的解決手段の特定の適用および設計の制約に依存する。
【０１４６】
説明を容易且つ簡潔にするために、上述した装置及びユニットの詳細な作業プロセスについては、上述の方法の実施形態における対応するプロセスを参照することを当業者は明確に理解できるであろう。詳細はここで再度記載しない。
【０１４７】
本願において提供される実施形態において、開示された装置および方法は他の方式で実装され得ることを理解されたい。例えば、説明された装置の実施形態は、一例に過ぎない。例えば、ユニットの分割は、論理的な機能の分割に過ぎないことがあり得て、実際の実装においては、他の分割があり得る。例えば、複数のユニット又はコンポーネントが組み合わされても、又は別のシステムに統合されてもよく、あるいは一部の機能が無視されてもまたは実行されなくてもよい。
【０１４８】
別個の部分として説明されたユニットは、物理的に分かれていてもいなくてもよく、ユニットとして表示された部分が物理的ユニットであってもなくてもよく、１か所に位置してもよく、または複数のネットワークユニットに分散されてもよい。これらのユニットの一部またはすべてが、実際の要件に基づいて選択され、実施形態の解決手段の目的を達成してよい。
【０１４９】
上述の説明は本願の特定の実装に過ぎず、本願の保護範囲を限定することは意図されていない。本願で開示される技術的範囲内で当業者が容易に理解するいずれの変更又は置換も、本願の保護範囲に含まれるものとする。したがって、本願の保護範囲は、請求項の保護範囲の対象になるものとする。
【図１】
0006805365.tif 000004
【図２】
0006805365.tif 000005
【図３】
0006805365.tif 000006
【図４】
0006805365.tif 000007
【図５】
0006805365.tif 000008
【図６】
0006805365.tif 000009